(57)【要約】【課題】簡単な構造でありながら、母趾の変形を修正して外反母趾を矯正できる靴下等の足覆いを提供する。【解決手段】足覆い本体部１２の先端部に形成される足指挿入部１３において、母趾１が挿入される空間部Ｓ１と第２趾２が挿入される空間部Ｓ２との間に、両空間部Ｓ１，Ｓ２を分離することなく互いに仕切る仕切り部１６を設けて、母趾１と第２趾２とが交差しないようにした。【選択図】図２
0003158946.tif 000002
【実用新案登録請求の範囲】
【請求項１】
足覆い本体部の先端部に形成される足指挿入部において、母趾が挿入される空間部と第２趾が挿入される空間部との間に、両空間部を分離することなく互いに仕切る仕切り部を設けて、母趾と第２趾とが交差しないようにした靴下等の足覆い。
【請求項２】
足覆い本体部には足の中足関節部に対応する部分に、母趾、中足関節部及び横中足靱帯部を締め付ける伸縮性の締付部を設けてなる請求項１に記載の靴下等の足覆い。
【請求項３】
前記仕切り部は、足指挿入部を形成する生地を、母趾が挿入される空間部と第２趾が挿入される空間部との間で縫着することによって形成される請求項１又は２に記載の靴下等の足覆い。
【考案の詳細な説明】
【技術分野】
【０００１】
本考案は、母趾（足の親指）が第２趾（足の人差指）側（足の外方）に曲がって変形した外反母趾を、正常な状態に戻すように矯正することのできる靴下、半靴下、５本指タイプの靴下及び半靴下、足袋などの足覆いに関する。
【背景技術】
【０００２】
外反母趾とは、図６に示すように、母趾１が第２趾２の方へ曲がって変形し、第２趾２と交差する状態となっているものをいう。これは、横中足靱帯部６が緩んでしまい、特に母趾１の第１中足関節７が開いて、結果的に母趾１が第２趾２の方にたたみ込まれるようになるからである。このような外反母趾になると、母趾１の付け根部分の第１中足関節７は内側に痛みを生じるのみならず、足の歩行力が弱くなり、足の平衡バランスが不安定になって転倒するなど、ケガをし易くなる。尚、図６において、３は第３趾（足の中指）、４は第４趾（薬指）、５は第５趾（小指）である。
【０００３】
従来の外反母趾矯正用靴下として、特許公報等の具体的な公知文献を挙げることはできないが、従来提案されている外反母趾矯正用靴下は、構造が複雑であるため、製作コストが高くつく難点があった。
【考案の概要】
【考案が解決しようとする課題】
【０００４】
本考案は、簡単な構造でありながら、母趾の変形を修正して外反母趾を矯正できる靴下等の足覆いを提供することを目的とする。
【課題を解決するための手段】
【０００５】
上記課題を解決するための手段を、後述する実施形態の参照番号を付して説明すると、請求項１に係る考案は、足覆い本体部１２の先端部に形成される足指挿入部１３において、母趾１が挿入される空間部Ｓ１と第２趾２が挿入される空間部Ｓ２，Ｓ２ａとの間に、両空間部Ｓ１，Ｓ２，Ｓ２ａを分離することなく互いに仕切る仕切り部１６を設けて、母趾１と第２趾２とが交差しないようにしたことを特徴とする。
【０００６】
請求項２は、請求項１に記載の靴下等の足覆いにおいて、足覆い本体部１２には足Ｆの中足関節部７に対応する部分に、母趾１、中足関節部７及び横中足靱帯部６を締め付ける伸縮性の締付部１４を設けてなることを特徴とする。
【０００７】
請求項３は、請求項１又は２に記載の靴下等の足覆いにおいて、前記仕切り部１６は、足指挿入部１３を形成する生地を、母趾１が挿入される空間部Ｓ１と第２趾２が挿入される空間部Ｓ２との間で縫着することによって形成されることを特徴とする。
【考案の効果】
【０００８】
上記解決手段による考案の効果を、後述する実施形態の参照番号を付して説明すると、請求項１に係る考案の足覆いによれば、足覆い本体部１２の足指挿入部１３において、母趾１が挿入される空間部Ｓ１と第２趾２が挿入される空間部Ｓ２，Ｓ２ａとが仕切り部１６によって互いに分離不能に仕切られているため、図６に示すように第２趾２の方へ曲がって変形している母趾１は、第２趾２側への曲がり変形を仕切り部１６によって修正される。つまり、図６に示すように外反母趾の状態にある母趾１は、同図の実線で示すように第２趾２と交差しているため、仕切り部１６が設けられていなければ、足指挿入部１３の母趾挿入用空間部Ｓ１に挿入した母趾１はそのまま第２趾挿入用空間部Ｓ２，Ｓ２ａ内へ突入することになるが、仕切り部１６を設けたことによって、母趾１は、第２趾２と交差することを阻止されて、強制的に母趾挿入用空間部Ｓ１内に隔離された状態となり、この状態を持続させることによって、変形が徐々に矯正される。そして、この足覆いは、構造がきわめて簡単であるから、製作コストを安くできる大きな利点がある。
【０００９】
請求項２に係る考案の足覆いによれば、足覆い本体部１２には足Ｆの中足関節部７に対応する部分に、母趾１、中足関節部７及び横中足靱帯６を締め付ける伸縮性の締付部１４を設けているから、足覆い１１を履いた時に、その締付部１４で母趾１、中足関節部７及び横中足靱帯６を締め付けて、図６の実線図示のように外反した母趾１を同図の仮想線図示のような元の位置に戻すことができると共に、開き過ぎたり緩んでしまっている中足関節部７及び横中足靱帯６を正常な位置に戻すことができて、足裏が本来の機能を発揮するようになり、歩行時の痛みも改善される。
【００１０】
請求項３に係る考案の足覆いによれば、仕切り部１６は、足指挿入部１３を形成する生地を、母趾１が挿入される空間部Ｓ１と第２趾２が挿入される空間部Ｓ２，Ｓ２ａとの間で縫着することによって簡単容易に形成できる。
【図面の簡単な説明】
【００１１】
【図１】本考案に係る靴下の使用状態を示す斜視図である。
【図２】(a) は同靴下の一部断面平面図、(b) は同靴下の足指挿入部の断面図である。
【図３】(a) は本考案に係る５本指靴下の使用状態を示す斜視図、(b) は同靴下の足指挿入部の断面図である。
【図４】(a) は本考案に係る半靴下の使用状態を示す斜視図、(b) は同半靴下の使用状態を示す平面図である。
【図５】本考案に係る５本指タイプの半靴下を示す平面図である。
【図６】外反母趾の説明図である。
【考案を実施するための形態】
【００１２】
以下に本考案の好適な実施形態について図面を参照しながら説明すると、図１及び図２は本考案に係る靴下１１を使用者の足Ｆに着用した状態を示している。この靴下１１は、靴下編み機により、天然糸又は合成糸を使用して、先端部に足指挿入部１３を有する靴下本体部１２を編成すると共に、この編成過程で、足指挿入部１３の手前側に位置する使用者の足Ｆの中足関節部７及びその横中足靱帯部６（図４参照）をぐるりと取り巻くように強い伸縮性の締付部１４を、例えばゴムを入れたり、編み目を小さくするなどして、生地自体その部分を細く編み立てることによって形成し、また靴下本体１２の履き口部１５も同様な方法で比較的弱い伸縮性をもたせるように形成する。
【００１３】
こうして先端部に足指挿入部１３を形成した網生地からなる靴下本体部１２を編み上げた後、足指挿入部１３において、図２の(a) 及び(b) に示すように、足Ｆの母趾１が挿入される母趾挿入用空間部Ｓ１と第２趾が挿入される空間部Ｓ２との間に、両空間部Ｓ１，Ｓ２を分離することなく両空間部Ｓ１，Ｓ２を仕切るための仕切り部１６を設けることにより、外反母趾矯正用の靴下１１を簡単容易に製作することができる。この仕切り部１６は、図２の(b) から分かるように、足指挿入部１３を形成する網生地を、母趾１が挿入される空間部Ｓ１と第２趾２が挿入される空間部Ｓ２との間で縫い糸Ｋにより縫着することによって形成する。尚、空間部Ｓ２は、第２趾２だけでなく、第３趾３、第４趾４及び第５趾５も挿入させる空間部である。
【００１４】
上記のように形成した靴下１１を着用した場合には、図１の(a) ，(b) に示すように、靴下本体部１２の足指挿入部１３において、母趾１が挿入される空間部Ｓ１と第２趾２が挿入される空間部Ｓ２とが仕切り部１６により互いに仕切られているため、図４に示すように第２趾２の方へ曲がって変形している母趾１は、第２趾２側への曲がり変形を仕切り部１６によって修正される。つまり、図４に示すように外反母趾の状態にある母趾１は、同図の実線で示すように第２趾２と交差しているため、仕切り部１６が設けられていないと、足指挿入部１３の母趾挿入用空間部Ｓ１に挿入した母趾１は、そのまま第２趾挿入用空間部Ｓ２内へ突入することになるが、仕切り部１６を設けたことによって、母趾１は、第２趾２と交差することを阻止されて、強制的に母趾挿入用空間部Ｓ１内に隔離された状態となり、この状態を持続させるようにすることによって、変形が徐々に矯正される。
【００１５】
この場合、重要なことは、仕切り部１６は、母趾１が挿入される空間部Ｓ１と第２趾２が挿入される第２趾挿入用空間部Ｓ２とを分離することなく両空間部Ｓ１，Ｓ２を一体的に仕切っていることである。仮に、両空間部Ｓ１，Ｓ２を分離可能に仕切ったとすれは、例えば一般に使用される足袋のように、親指挿入部を他の指挿入部と独立して動かすことができるため、外反母趾の場合には、母趾１が第２趾２と交差してしまうことになる。この点、両空間部Ｓ１，Ｓ２を分離できないように仕切ることによって、母趾１と第２趾２との交差を阻止することができる。
【００１６】
またこの靴下１１は、靴下本体部１２には足Ｆの中足関節部７に対応する部分に、中足関節部７及びその横中足靱帯６を締め付ける伸縮性の締付部１４を設けていることから、靴下１１を履いた時に、この締付部１４で足Ｆの母趾１、中足関節部７及び横中足靱帯６を締め付けることにより、図６の実線図示のように外反した母趾１を同図の仮想線図示のような元の位置に戻すことができると共に、開き過ぎたり緩んでしまっている中足関節部７及び横中足靱帯６を正常な位置に戻すことができて、足裏が本来の機能を発揮するようになり、歩行時の痛みも改善される。
【００１７】
図３の(a) は本考案に係る５本指靴下２１の使用状態を示す斜視図であり、(b) は同靴下２１の足指挿入部１３の断面図である。この５本指靴下２１は、足指挿入部１３における足Ｆの母趾１が挿入される母趾挿入用空間部Ｓ１と第２趾２が挿入される空間部Ｓ２ａとの間に、両空間部Ｓ１，Ｓ２ａを分離することなく両空間部Ｓ１，Ｓ２ａを互いに仕切るための仕切り部１６を設け、この仕切り部１６は、図３の(b) に示すように、足指挿入部１３を形成する網生地を、両空間部Ｓ１，Ｓ２ａとの間で縫い糸Ｋにより縫着することによって形成するようにしたものである。この５本指靴下２１は、足指挿入部１３内に、母趾１と第２趾２と第３趾３と第４趾４と第５趾５の５本の足指が挿入される空間部Ｓ１，Ｓ２ａ，Ｓ２ｂ，Ｓ２ｃ，Ｓ２ｄが互いに独立して設けられている点が異なるだけで、これ以外については前述した実施形態の靴下１１と同じある。靴下１１と同一構成部材については同じ符号を付している。
【００１８】
この５本指靴下２１も、母趾１が挿入される空間部Ｓ１と第２趾２が挿入される空間部Ｓ２ａとが仕切り部１６により分離することなく仕切られているため、図４に示すように第２趾２の方へ曲がって変形している母趾１は、仕切り部１６によって、第２趾２と交差することを阻止されて、母趾挿入用空間部Ｓ１内に強制的に隔離された状態となり、この状態を持続させるようにすることにより、変形が矯正されることになる。
【００１９】
図４は使用者の足Ｆの前半分を覆う半靴下３１の実施形態を示したもので、(a) はこの半靴下３１の使用状態を示し斜視図、(b) は同使用状態の平面図である。この半靴下３１は、足Ｆの前半分を覆い、先端部に足指挿入部１３を有する靴下本体部１２からなるもので、足指挿入部１３には、足Ｆの母趾１が挿入される母趾挿入用空間部Ｓ１と第２趾が挿入される空間部Ｓ２との間に、両空間部Ｓ１，Ｓ２を分離することなく両空間部Ｓ１，Ｓ２を仕切るための仕切り部１６が設けられ、また足Ｆの中足関節部７に対応する部分に、母趾１、足Ｆの中足関節部７及びその横中足靱帯部６を締め付ける伸縮性の締付部１４が設けられている。
【００２０】
図５は５本指タイプの半靴下４１を示す。この５本指半靴下４１は、足指挿入部１３における足Ｆの母趾１が挿入される母趾挿入用空間部Ｓ１と第２趾２が挿入される空間部Ｓ２ａとの間に、両空間部Ｓ１，Ｓ２ａを分離することなく両空間部Ｓ１，Ｓ２ａを互いに仕切るための仕切り部１６を設け、この仕切り部１６は、互いに独立して設けられた母趾挿入用空間部Ｓ１と第２趾挿入用空間部Ｓ２ａとを図示のように糸Ｋで縫い留めること（縫着の一種）により形成したものである。この５本指靴下２１は、足指挿入部１３内に、母趾１と第２趾２と第３趾３と第４趾４と第５趾５の５本の足指が挿入される空間部Ｓ１，Ｓ２ａ，Ｓ２ｂ，Ｓ２ｃ，Ｓ２ｄが互いに独立して設けられている点が異なるだけで、これ以外については図４に示す半靴下３１と同じある。靴下１１と同一構成部材については同じ符号を付している。
【００２１】
以上、本考案の実施形態を、靴下１１と、５本指タイプの靴下２１と、半靴下３１と、５本指タイプの半靴下４１とについて説明したが、本考案は、これら以外に、足指挿入部が親指（母趾）挿入部と人差指（第２趾）挿入部の間で２つに分かれている足袋にも適用することができる。この足袋の場合には、図示は省略するが、前述した靴下１１〜４１と同様であって、足指挿入部の母趾挿入用空間部と第２趾が挿入される空間部との間に、両空間部を分離することなく互いに仕切る仕切り部を設け、その仕切り部は、足指挿入部を形成する生地を両空間部との間で縫着することによって形成することができる。
【００２２】
また、以上の実施形態では、足指挿入部１３を形成する生地を、母趾１が挿入される空間部Ｓ１と第２趾２が挿入される空間部Ｓ２，Ｓ２ａとの間で縫着することによって仕切り部１６を形成するようにしたが、両空間部Ｓ１及びＳ２，Ｓ２ａ間に接着剤を介在させることによって仕切り部１６を形成することもできる。但し、実施形態で説明したような縫着によれば、簡単容易に仕切り部１６を形成することができる。
【符号の説明】
【００２３】
１            母趾
２            第２趾
６            横中足靱帯部
７            中足関節部
１１          靴下（足覆い）
１２          靴下本体部（足覆い本体部）
１３          足指挿入部
１４          締付部
２１          ５本指靴下（足覆い）
Ｓ１          母趾挿入用空間部
Ｓ２          第２趾が挿入される空間部
Ｓ２ａ        第２趾挿入用空間部
３１          半靴下（足覆い）
４１          ５本指半靴下（足覆い）
【図１】
0003158946.tif 000003
【図２】
0003158946.tif 000004
【図３】
0003158946.tif 000005
【図４】
0003158946.tif 000006
【図５】
0003158946.tif 000007
【図６】
0003158946.tif 000008